(57)【特許請求の範囲】
【請求項１】
隣接する浴室壁パネルのうち一方を第一壁パネルとすると共に他方を第二壁パネルとし、第一壁パネルの側端面から外側方に向けて係合突部を突設し、係合突部の先端部にこれよりも基端側に形成した首部よりも幅広の頭部を形成し、第二壁パネルの側縁から前記第一壁パネルの側端面に対向する外縁片部を突出し、該外縁片部に、係合突部の頭部よりも幅狭で首部よりも幅広の係合孔と、首部よりも幅広で且つ一端が係合孔に連通すると共に他端が外縁片部の突端縁から開口する導入用切欠を形成し、導入用切欠の他端開口からなる導入口と係合孔を上下方向に異なる位置に配置し、係合突部の首部を係合孔に挿通すると共に外縁片部の第一壁パネルとは反対側に頭部を配置して、係合突部を係合孔に係合した浴室壁パネルの連結構造であって、第一壁パネルの第二壁パネル側の側端面を第一壁パネルの側縁から背方に向けて突出した側片部で構成し、該側片部の内側に形成された内側空所に上下方向に移動自在の移動部材を設け、移動部材から外側方に向けて係合突部を突設し、該係合突部の首部よりも基端側に摺動部を設け、該係合突部の摺動部を前記第一壁パネルの側片部に形成した長孔に上下方向に摺動自在に収納すると共に、該係合突部の首部及び頭部を側片部よりも外側方に突出させ、移動部材の上端部に該移動部材を係合突部と共に上下方向に移動操作するための移動操作部を設け、係合孔の上端を導入用切欠の一端に連通させ、前記係合突部の首部を係合孔に落としこんで係合したことを特徴とする浴室壁パネルの連結構造。
【請求項２】
上記第二壁パネルの外縁片部に形成した導入用切欠は係合突部の頭部よりも大きくて頭部を挿通可能な頭部挿通孔を備え、該外縁片部の自由端となった突端縁から基端部に至る指挿入用切欠を形成することを特徴とする請求項１に記載の浴室壁パネルの連結構造。
【請求項３】
第一壁パネル及び第二壁パネルは平面視で直角に隣接するものであって、上記外縁片部は第二壁パネルの外側方に向けて突出することを特徴とする請求項１又は請求項２に記載の浴室壁パネルの連結構造。
【発明の詳細な説明】
【技術分野】
【０００１】
本発明はユニットバスルームの壁を構成する浴室壁パネルの連結構造に関する。
【背景技術】
【０００２】
従来のユニットバスルームの壁は例えば特許文献１に示すように浴室壁パネルの側端部同士を突き合わせた状態で連結することで構成される。
【０００３】
この種の浴室壁パネルの連結構造としては例えば図８及び図９に示すものが知られている。この連結構造では、平面視で直角に隣接する浴室壁パネル１のうち一方を第一壁パネル２とすると共に他方を第二壁パネル３とすると、第一壁パネル２の側端面からは係合突部１２を第二壁パネル３側に向けて突設している。係合突部１２は第一壁パネル２の側枠部７内に上下移動自在に配置した移動部材１３に設けてあり、係合突部１２の先端は第一壁パネル２の側端面を構成する側枠部７の外側面部を通して外側方に向けて突出している。係合突部１２の先端部にはこれよりも基端側に形成した首部１６よりも大径の頭部１７を形成している。一方、第二壁パネル３の側縁からは第一壁パネル２の側端面に対向する外縁片部２２を外側方に向けて突出してあり、外縁片部２２には係合突部１２を係合するためのだるま孔３１を形成している。だるま孔３１は、係合突部１２の頭部１７よりも幅狭で首部１６よりも幅広の係合孔２７と、係合孔２７の上端に連通し且つ係合突部１２の頭部１７よりも大きくて頭部１７を挿通可能な頭部挿通孔２９とからなる。第一壁パネル２及び第二壁パネル３を連結する場合、例えば第一壁パネル２を第二壁パネル３側に移動して、係合突部１２の頭部１７をだるま孔３１の頭部挿通孔２９から挿通し、この後、移動部材１３と共に係合突部１２を第一壁パネル２に対して下方に移動する。これにより係合突部１２の首部１６が係合孔２７に挿通すると共に外縁片部２２の第一壁パネル２とは反対側に頭部１７が配置されて、係合突部１２が係合孔２７に係合し、第一壁パネル２と第二壁パネル３とが連結される。
【０００４】
ところで係合突部１２の頭部１７をだるま孔３１の頭部挿通孔２９に挿通する時には、第一壁パネル２を第二壁パネル３側である外側方に向けて大きく移動する必要があり、このため第一壁パネル２の第二壁パネル３とは反対側の外側方には第一壁パネル２が移動するための大きなスペースが必要である。しかしこのスペースに先に立設した浴室壁パネル１や建物躯体壁が存在する場合は頭部挿通孔２９に係合突部１２の頭部１７を挿通できない場合がある。また例えば図８に示すように第二壁パネル３を浴室外側に無理に押し広げて大きく変形させつつ、第一壁パネル２の係合突部１２の頭部１７をだるま孔３１の頭部挿通孔２９に挿通することが考えられるが、この場合は第二壁パネル３が変形してしまうし、また連結作業が非常に難しくなる。
【特許文献１】特開２００６−９３９０号公報
【発明の開示】
【発明が解決しようとする課題】
【０００５】
本発明は上記従来の問題点に鑑みて発明したものであって、第一壁パネルの外側方に先に立設した浴室壁パネルや建物躯体壁が存在する場合にも係合突部の頭部を係合孔に容易に挿通できる浴室壁パネルの連結構造を提供することを課題とするものである。
【課題を解決するための手段】
【０００６】
上記課題を解決するために本発明に係る浴室壁パネルの連結構造は、隣接する浴室壁パネル１のうち一方を第一壁パネル２（又は２′）とすると共に他方を第二壁パネル３（又は３′）とし、第一壁パネル２（２′）の側端面から外側方に向けて係合突部１２を突設し、係合突部１２の先端部にこれよりも基端側に形成した首部１６よりも幅広の頭部１７を形成し、第二壁パネル３（３′）の側縁から前記第一壁パネル２（２′）の側端面に対向する外縁片部２２を突出し、該外縁片部２２に、係合突部１２の頭部１７よりも幅狭で首部１６よりも幅広の係合孔２７と、首部１６よりも幅広で且つ一端が係合孔２７に連通すると共に他端が外縁片部２２の突端縁から開口する導入用切欠２８を形成し、導入用切欠２８の他端開口からなる導入口３２と係合孔２７を上下方向に異なる位置に配置し、係合突部１２の首部１６を係合孔２７に挿通すると共に外縁片部２２の第一壁パネル２（２′）とは反対側に頭部１７を配置して、係合突部１２を係合孔２７に係合した浴室壁パネルの連結構造であって、第一壁パネル２（２′）の第二壁パネル３（３′）側の側端面を第一壁パネル２（２′）の側縁から背方に向けて突出した側片部１１で構成し、該側片部１１の内側に形成された内側空所１５に上下方向に移動自在の移動部材１３を設け、移動部材１３から外側方に向けて係合突部１２を突設し、該係合突部１２の首部１６よりも基端側に摺動部１９を設け、該係合突部１２の摺動部１９を前記第一壁パネル２（２′）の側片部１１に形成した長孔１４に上下方向に摺動自在に挿入すると共に、該係合突部１２の首部１６及び頭部１７を側片部１１よりも外側方に突出させ、移動部材１３の上端部に該移動部材１３と共に係合突部１２を上下方向に移動操作するための移動操作部１３ａを設け、係合孔２７の上端を導入用切欠２８の一端に連通させ、前記係合突部１２の首部１６を係合孔２７に落としこんで係合したことを特徴とする。上記構成により、第一壁パネル２（２′）の係合突部１２を第二壁パネル３（３′）の係合孔２７に係合するにあたって、係合突部１２の首部１６を導入用切欠２８を介して係合孔２７に導入できる。つまり第一壁パネル２（２′）を厚み方向に移動することで係合突部１２の首部１６を導入用切欠２８に導入し、この首部１６を係合孔２７に導入でき、第一壁パネル２（２′）の第二壁パネル３（３′）とは反対側の外側方に先に立設した浴室壁パネル１や建物躯体壁が存在する場合にも係合突部１２の頭部１７を係合孔２７に容易に挿通できる。
【０００７】
また、移動操作部１３ａを操作して移動部材１３を上下方向に移動するだけで、係合突部１２を係合孔２７に係合したり、この係合を解除したりでき、この場合、第一壁パネル２（２′）全体を移動させる必要がなくて連結作業又は連結解除作業が容易になる。
【０００８】
また請求項２は請求項１において、上記第二壁パネル３の外縁片部２２に形成した導入用切欠２８は係合突部１２の頭部１７よりも大きくて頭部１７を挿通可能な頭部挿通孔２９を備え、該外縁片部２２の自由端となった突端縁から基端部に至る指挿入用切欠３８を形成することを特徴とする。第二壁パネル３の交換の際には、移動部材１３を上方に移動して係合突部１２を係合孔２７から外し、この後、頭部挿通孔２９から頭部１７を抜いて第一壁パネル２と第二壁パネル３の連結を解除し、この第二壁パネル３の両側部を指で掴んで持ち上げるのだが、この第二壁パネル３を持ち上げる時には、第一壁パネル２と第二壁パネル３の間から挿入した指を指挿入用切欠３８に通し、この指で第二壁パネル３の側端部を掴むことができる。従って外縁片部２２の先端を指で掴んで第二壁パネル３を持ち上げる必要がなく、鋭く尖った外縁片部２２の突端縁で指が傷付くことを防止できる。
【０００９】
また請求項３は請求項１又は請求項２において、第一壁パネル２及び第二壁パネル３は平面視で直角に隣接するものであって、上記外縁片部２２は第二壁パネル３の外側方に向けて突出することを特徴とする。第一壁パネル２及び第二壁パネル３が平面視で直角に隣接するものに上記連結構造を採用できる。
【発明の効果】
【００１０】
本発明では、第一壁パネルを厚み方向に移動することで係合突部の首部を導入用切欠に導入し、この首部を係合孔に導入でき、第一壁パネルの第二壁パネルとは反対側の外側方に先に立設した浴室壁パネルや建物躯体壁が存在する場合にも係合突部の頭部を係合孔に容易に挿通できる。また、移動操作部を操作して移動部材を上下方向に移動するだけで、係合突部を係合孔に係合したり、この係合を解除したりでき、この場合、第一壁パネル全体を移動させる必要がなくて連結作業又は連結解除作業が容易になる。
【発明を実施するための最良の形態】
【００１１】
以下、本発明を添付図面に示す実施形態に基いて説明する。図２はユニットバスルームの壁を構成する浴室壁パネル１の連結構造を示す平面図であり、これら浴室壁パネル１はユニットバスルームの床を構成する床パン４（図６参照）上に立設される。またこれら浴室壁パネル１上にはユニットバスルームの天井を構成する図示しない天井パネルが載設される。
【００１２】
浴室壁パネル１としては、表面部を金属板からなる表面板５で構成した浴室壁パネル１ａと、表面部をセメント等の無機質板６で構成した浴室壁パネル１ｂとの２種類が用いられる。図では比較的高価な浴室壁パネル１ａでカウンタ等が設置される壁を構成し、比較的安価な浴室壁パネル１ｂはその他の壁を構成している。
【００１３】
上記２種の浴室壁パネル１ａ、１ｂのうち一方の浴室壁パネル１ａは、無機質板６の背面の両側縁部の夫々に上下に長い中空柱状の側枠部７の前面部を取着してあり、これら側枠部７は金属板を断面略ロ字状に折り曲げて形成される。浴室壁パネル１ａの両側端面は浴室壁パネル１ａの側縁から背方に向けて突出した側片部１１で構成され、本実施形態では側片部１１を側枠部７の外側面部で構成している。また他方の浴室壁パネル１ｂは、背面に断熱材１０を貼着した表面板５の両側縁を背方に折り曲げて縁突片８を形成してあり、さらに各縁突片８の先端を折り返して補強部９を形成している。
【００１４】
ここで上記浴室の壁を構成する浴室壁パネル１ａ、１ｂのうち、図２の１ａ１に示す浴室壁パネル１ａを第一壁パネル２とし、また第一壁パネル２に平面視で直角に隣接する１ｂ１に示す浴室壁パネル１ｂを第二壁パネル３と定義する。
【００１５】
第一壁パネル２の第二壁パネル３側の側端面を構成する側枠部７ａの外側面の上端部には外側方に向けて突出する係合突部１２を設けている。係合突部１２は第一壁パネル２に対して上下方向に移動自在となっている。係合突部１２を上下に移動自在とする手段として、第一壁パネル２の側片部１１の内側（即ち側枠部７ａ内）に形成された内側空所１５に上下方向に移動自在となった移動部材１３を設けてあり、また側片部１１に上下方向に長い長孔１４を設けている。移動部材１３は上下方向に長尺な金属板を平面視でＬ字状に折り曲げて形成される。このＬ字状の移動部材１３は一片が側枠部１１の外側面部の内面（即ち側片部１１の内側面）に沿っていて、他片が側枠部７の前面部の内面に沿っている。移動部材１３の一片の係合突部１２に対応する位置には雌ねじ孔部（図示せず）を設けてあり、雌ねじ孔部に係合突部１２の一端部に形成した雄ねじ部（図示せず）を螺着している。このように取付けられた係合突部１２の軸方向の一部は摺動部１９となっており、該摺動部１９は側枠部７ａの長孔１４に上下方向に摺動自在に収納され、また係合突部１２の摺動部１９よりも先端側（即ち他端部側）は側枠部７ａの外側面部（即ち側片部１１）よりも外側方に向けて突出している。これにより移動部材１３は側枠部７ａ内の内側空所１５で上下動することで係合突部１２は長孔１４内で上下に移動できるようになっている。
【００１６】
図１のように係合突部１２を長孔１４の幅広となった上部１４ａに配置した状態では移動部材１３の上端部が側枠部７ａよりも上方に突出し、また係合突部１２を長孔１４の幅狭となった下部１４ｂに配置した状態では移動部材１３が側枠部７ａ内に収まるように設定されている。また上記の係合突部１２を長孔１４の上部に位置させた状態において側枠部７ａよりも上方に突出する移動部材１３の上端部は移動部材１３を係合突部１２と共に上下方向に移動操作するための移動操作部１３ａとなっており、移動操作部１３ａにはドライバーの先端等を引掛けて移動部材１３を上方に移動するための引掛孔３７を穿設している。
【００１７】
側枠部７ａの長孔１４から突出した係合突部１２の先端部には頭部１７と、頭部１６よりも基端側の首部１６を形成してあり、首部１６は摺動部１９の突端側に形成されている。頭部１７は首部１６よりも大径で幅広であり、頭部１７における首部１６側の端部は首部１６側に行く程徐々に径が小さくなるテーパ部１８となっている。
【００１８】
また第二壁パネル３の第一壁パネル２側の側縁部には上下に長いジョイント金具２０が取付けられる。ジョイント金具２０は金属板を折り曲げて形成され、取付片部２１と、取付片部２１の前縁から外側方に向けて突出する外縁片部２２と、取付片部２１の後縁から内側方に向けて突出する内側片部２３と、内側片部２３の取付片部２１とは反端側の縁から前方に向けて突出する突片部２４とからなり、全体で断面ひしゃく状に折り曲げて形成される。ジョイント金具２０は取付片部２１を表面板５の側縁から背方に向けて突出した縁突片８の外側面にビス２５で固着することで第二壁パネルの表面板５に固着される。表面板５に取付けたジョイント金具２０の外縁片部２２の前面は表面板５の前面と略面一となる。また突片部２４は断熱材１０と補強部９の間に形成された空所内に収まり、その前縁が表面板５の背面に当接する。
【００１９】
上記第二壁パネル３の側縁から外側方に向けて突出したジョイント金具２０の外縁片部２２は第一壁パネル２と第二壁パネル３を連結した状態において第一壁パネル２の側枠部７の外側面に対向する。この外縁片部２２の第一壁パネル２の各係合突部１２に対応する位置には図１及び図３に示すように係合突部１２の頭部１７よりも幅狭で首部１６よりも幅広の係合孔２７と、首部１６よりも幅広で且つ一端が係合孔２７に連通すると共に他端が外縁片部２２の突端縁から開口する導入用切欠２８を形成してある。
【００２０】
導入用切欠２８は、下端が係合孔２７の上端に連通する頭部挿通孔２９と、横向きに伸びて一端が頭部挿通孔２９の上部に連通すると共に他端が外縁片部２２の先端縁から開口する通孔３０とからなる。頭部挿通孔２９及び通孔３０の幅は係合突部１２の頭部１７の幅よりも大きくて頭部１７を挿通可能にしている。即ち本実施形態では頭部挿通孔２９と既述の係合孔２７とでだるま孔３１を形成している。
【００２１】
また上記導入用切欠２８の他端開口（即ち通孔３０の他端開口）からなる導入口３２は係合孔２７よりも上方に位置し、これにより導入口３２と係合孔２７は上下方向に異なる位置に配置されている。従って係合孔２７に係合突部１２の首部１６を挿通した場合（即ち後述のように係合孔２７に係合突部１２を係合した場合）、第一壁パネル２が後方に移動しようとしても首部１６が係合孔２７の孔縁に当たってこれを阻止できる。
【００２２】
上記第一壁パネル２と第二壁パネル３とを連結する場合、例えば図１や図２のようにジョイント金具２０を床パン４上に立設した第二壁パネル３に取付け、この第二壁パネル３に第一壁パネル２を連結する。そして第一壁パネル２を床パン４の外縁部上に載置すると共に、該第一壁パネル２を上側程後方に位置するように若干傾斜させ、この後、図３の矢印のように上部を前方に起こして起立させる。これにより第一壁パネル２の長孔１４の上部から突出した係合突部１２の頭部１７及び首部１６は、先に立設した第二壁パネル３の外縁片部２２に形成した導入口３２側から導入用切欠２８の通孔３０を通って頭部挿通孔２９内に導入される。次に起立した第一壁パネル２の側枠部７から上方に突出した移動部材１３の移動操作部１３ａをハンマー等で下方に打ち込む。これにより移動部材１３と共に頭部挿通孔２９に配置した係合突部１２の頭部１７及び首部１６が長孔１４の下部に移動し、係合突部１２の首部１６が係合孔２７に挿通すると共に外縁片部２２の背面側（第一壁パネルとは反対側）に頭部１７が配置され、係合突部１２が係合孔２７に係合した連結状態となる。この連結状態では頭部１７の首部１６側（即ちテーパ部１８）が係合孔２７の孔縁部に当接し、頭部１７と長孔１４の孔縁部とで係合孔２７の孔縁部が挟持される。なお長孔１４の下部１４ｂの幅は上記のように移動部材１３をハンマー等で打ち込まなければ首部１６を長孔１４の上部ａから下部１４ｂに移動不能となるような幅に設定することが好ましく、この場合は長孔１４の上部１４ａで係合突部１２の首部１６を保持できて、連結作業の際には移動部材１３を上方に移動した状態で手などで支持する必要がない。
【００２３】
また本実施形態では図８及び図９に示す従来例と同様に頭部挿通孔２９を形成しているので、上記第一壁パネル２と第二壁パネル３の連結を従来例と同様に行うこともできる。即ちこの場合は、第一壁パネル２を先に立設した第二壁パネル３側の外側方に移動して、係合突部１２の頭部１７をだるま孔３１の頭部挿通孔２９から挿通して外縁片部２２の背方に配置し、この後、移動部材１３と共に係合突部１２を第一壁パネル２に対して下方に移動すれば良い。
【００２４】
また上記第二壁パネル３は、図６のように表面板５の下縁を折り返して折返部３４を形成し、該折返部３４の上縁をさらに折り返して引掛部３５を形成し、この引掛部３５を床パン４の外縁から立ち上げた立上部３６に上方から引掛けることで床パン４上に立設されるのだが、ここで上記のように第一壁パネル２に連結した第二壁パネル３を新たな第二壁パネルに交換する場合は例えば以下のように行う。
【００２５】
即ち移動部材１３の上端部に設けた引掛孔３７にドライバーの先端等を引掛けて移動部材１３を上方に移動し、これにより係合突部１２の首部１６を導入用切欠２８の頭部挿通孔２９に位置させて係合突部１２の係合孔２７への係合を解除し、第二壁パネルの両側端部を掴んで頭部挿通孔２９から係合突部１２を抜くと共に、第二壁パネル３を持ち上げて引掛部３５を立上部３６から外す。
【００２６】
ここで第二壁パネル３の第一壁パネル２側の側端部を掴む場合、第一壁パネル２と第二壁パネル３の間に指を差し入れて、この指で第二壁パネル３の側端部を掴むのだが、この指で仮に図１０のようにジョイント金具２０の外縁片部２２の自由端となって鋭く尖った突端縁を掴んだ場合には、外縁片部２２の突端縁で指を傷付ける恐れがある。そこで本実施形態ではこれを防止するために以下の構成を有している。
【００２７】
即ち図４のように第二壁パネル３のジョイント金具２０の外縁片部２２における導入用切欠２８とは別の箇所には、自由端となった外縁片部２２の突端縁から基端部に至る指挿入用切欠３８を形成してあり、この指挿入用切欠３８の奥部は取付片部２１の外側面よりも内側に至っている。
【００２８】
上記構成により第二壁パネル３の交換の際に第二壁パネル３を持ち上げる時には、図５のように第二壁パネル３の側端部を背方に押し込んで第一壁パネル２と第二壁パネル３の間から挿入した指を指挿入用切欠３８に通し、この指でジョイント金具２０の取付片部２１及び内側片部２３からなるコーナ部を掴むことができる。従って外縁片部２２の先端を指で掴む必要がなく、外縁片部２２の先端で指が傷付けられることがない。
【００２９】
次に図２に示す浴室壁パネル１ａ、１ｂのうち、上記浴室壁パネル１ａ１（即ち第一壁パネル２）とこれに平面視で直線状に隣接する浴室壁パネル１ａ２（即ち第二壁パネル３とは反対側の浴室壁パネル１ａ）との連結構造について説明する。以下、浴室壁パネル１ａ２を第一壁パネル２′、浴室壁パネル１ａ１を第二壁パネル３′と定義する。
【００３０】
図７のように第一壁パネル２′の第二壁パネル３′側の側端面を構成する側枠部７ａの外側面には上記第一壁パネル２と同様に第二壁パネル３′側に向けて突出する係合突部１２を設けている。即ち係合突部１２は上記第一壁パネル２の係合突部１２と同様に側枠部７ａ内に内装した移動部材１３に設けてあり、上下方向に移動自在となっている。
【００３１】
また第二壁パネル３′（即ち第一壁パネル２）の第一壁パネル２′側の側枠部７ｂの外側面部からなる外縁片部２２は、第一壁パネル２′と第二壁パネル３′を連結した状態において第一壁パネル２′の側枠部７ａの外側面に対向するものである。第二壁パネル３′の外縁片部２２の第一壁パネル２′の係合突部１２に対応する位置には、第二壁パネル３の外縁片部２２と同様、係合孔２７とこれに連通する導入用切欠２８を形成している。また側枠部７ｂの後面部（即ち外縁片部２２の後縁から内側方に向けて突出する部分）の外側端部には、導入用切欠２８の導入口３２に連続する頭部通過孔４０を形成してあり、頭部通過孔４０は係合突部１２の頭部１７よりも大きく頭部１７を挿通できるようになっている。従って後述のように第一壁パネル２′の係合突部１２の首部１６を第二壁パネル３′の導入口３２側から導入用切欠２８に導入する際には、該係合突部１２の頭部１７を側枠部７ｂの後面部に干渉することなく頭部通過孔４０に通して側枠部７ｂ内に挿入できるようになっている。
【００３２】
上記第一壁パネル２′と第二壁パネル３′を連結する場合、例えば第一壁パネル２′を床パン４の外縁部上に載置すると共に、第一壁パネル２′を上側程浴室外側に位置するように若干傾斜させ、この後、上部を前方に起こして起立させる。これにより第一壁パネル２′の長孔１４の上部から突出した係合突部１２の頭部１７及び首部１６は先に立設した第二壁パネル３′の外縁片部２２に形成した導入口３２及び頭部通過孔４０から導入用切欠２８の通孔３０を通って頭部挿通孔２９内に導入される。以下、上記第一壁パネル２及び第二壁パネル３と同様に、起立した第一壁パネル２′の側枠部７から上方に突出した移動部材１３の上端部をハンマー等で下方に打ち込み、これにより係合突部１２の首部１６を係合孔２７に挿通すると共に外縁片部２２の背面側に頭部１７を配置して、係合突部１２を係合孔２７に係合させる。
【００３３】
また図２に示す浴室壁パネル１のうち、１ａ２に示す浴室壁パネル１ａ及びこれに平面視で直角に隣接する１ｂ２に示す浴室壁パネル１ｂは、上記第一壁パネル２及び第二壁パネル３と同様の連結構造にて連結してあるので、この連結構造については詳細な説明は省略する。
【００３４】
以上説明したように本発明では、第一壁パネル２（又は２′）の係合突部１２を第二壁パネル３（又は３′）の係合孔２７に係合するにあたって係合突部１２の首部１６を導入用切欠２８を介して係合孔２７に導入できる。即ち本発明では、第一壁パネル２（又は２′）を既述のように前方に起こす等して厚み方向に移動することで係合突部１２の首部１６を導入用切欠２８に導入し、この首部１６を係合孔２７に導入できる。従って従来のように第一壁パネル２（又は２′）をその外側方に向けて大きく移動することなく厚み方向に移動して係合突部１２の首部１６を係合孔２７に挿通でき、第一壁パネル２（又は２′）の第二壁パネル３（又は３′）とは反対側の外側方に先に立設した浴室壁パネル１や建物躯体壁が存在する場合にも上記連結方法により係合突部１２の頭部１７を係合孔２７に容易に挿通できる。
【図面の簡単な説明】
【００３５】
【図１】本発明の実施の形態の一例を示し、係合突部を係合孔に挿入する前の状態を示す第一壁パネル２と第二壁パネル３の拡大斜視図である。
【図２】同上の連結構造の平面図である。
【図３】図１の第二壁パネル３の背方から見た拡大図である。
【図４】同上のジョイント金具の指挿入用切欠近傍を示す背面図である。
【図５】同上の指挿入用切欠に指を挿入して第二壁パネル３の側端部を掴んだ状態を示す平面図である。
【図６】浴室壁パネル１ｂを床パンに立設した状態を示す要部拡大側断面図である。
【図７】第一壁パネル２′と第二壁パネル３′の連結構造を示す要部拡大平面図である。
【図８】従来の浴室壁パネルの連結構造を示す平面図である。
【図９】同上の係合突部を係合孔に挿入する前の状態を示す第一壁パネルと第二壁パネルの拡大斜視図である。
【図１０】参考例の説明図である。
【符号の説明】
【００３６】
２  第一壁パネル
３  第二壁パネル
１２  係合突部
１６  首部
１７  頭部
２２  外縁片部
２７  係合孔
２８  導入用切欠
３２  導入口
【図１】
0004725340.tif 000002
【図２】
0004725340.tif 000003
【図３】
0004725340.tif 000004
【図４】
0004725340.tif 000005
【図５】
0004725340.tif 000006
【図６】
0004725340.tif 000007
【図７】
0004725340.tif 000008
【図８】
0004725340.tif 000009
【図９】
0004725340.tif 000010
【図１０】
0004725340.tif 000011